(57)【要約】【課題】消費電流と回転駆動手段が目標回転数に到達するまでの時間の両立を図ることによって、ユニバーサル・シリアル・バス（ＵＳＢ）などを介して接続されたコンピュータなどの機器から供給される限られた電流を有効に用いることが可能な光ディスク装置を提供することを目的とする。【解決手段】本発明は、上記の課題を解決するためになされたものであって、スピンドルモータ３などの回転駆動手段を備え、スピンドルモータ３などの回転駆動手段は複数の回転加速度を利用して、目標回転数に到達することを特徴とするものである。【選択図】図４
2006085855.tif 000002
【特許請求の範囲】
【請求項１】
回転駆動手段を備え、前記回転駆動手段は複数の回転加速度を利用して目標回転数に到達することを特徴とする光ディスク装置。
【請求項２】
他機器との接続に用いられる接続手段は、電力伝達機能と信号伝達機能を兼ね備えたことを特徴とする請求項１に記載の光ディスク装置。
【請求項３】
前記複数の回転加速度は１次関数であることを特徴とする請求項１〜２いずれか１項に記載の光ディスク装置。
【請求項４】
前記複数の回転加速度は、最初の回転加速度が最も大きいことを特徴とする請求項１〜３いずれか１項に記載の光ディスク装置。
【請求項５】
前記複数の回転加速度のうち、最初の回転加速度から次の回転加速度へ切り替えるタイミングは、前記接続手段から供給される最大許容電流量を超える直前であることを特徴とする請求項１〜４いずれか１項に記載の光ディスク装置。
【請求項６】
前記接続手段から供給される最大許容電流量を超える直前のタイミングは、前記最大許容電流量に対して、９０〜９９％の範囲であることを特徴とする請求項１〜５いずれか１項に記載の光ディスク装置。
【請求項７】
前記接続手段はＵＳＢ（ユニバーサル・シリアル・バス）であり、前記接続手段により接続される機器はコンピュータであることを特徴とする請求項１〜６いずれか１項に記載の光ディスク装置。
【請求項８】
前記回転駆動手段はスピンドルモータであることを特徴とする請求項１〜７いずれか１項に記載の光ディスク装置。
【発明の詳細な説明】
【技術分野】
【０００１】
本発明は、光ピックアップにより光ディスクに対して情報の記録又は再生の少なくとも一方を行なう光ディスク装置に関するものである。
【背景技術】
【０００２】
パーソナルコンピュータ等の電子機器に接続して使用する周辺機器には、接続したパーソナルコンピュータ等の電子機器から電力供給を受けることが出来るものがある。例えばユニバーサル・シリアル・バス（以下「ＵＳＢ」と称す）は電源バスを有している為、この電源バスにて電力供給を受けている接続機器がある。
【０００３】
ここでは、ＵＳＢにて電力供給可能な従来の光ディスク装置について、図を用いて説明する。図５は従来の光ディスク装置の構成を示すブロック図である。図５において、１は光ディスク、２はフィードモータ、３はスピンドルモータ、４は光ピックアップユニット、５はＬＤドライバ、６はフィードモータドライバ、７はスピンドルモータドライバ、８はアクチュエータドライバ、９はリードアンプ、１０はＣＤエンコーダ、１１はＣＤ−ＲＯＭエンコーダ、１２はバッファメモリ、１３はＡＴＩＰディテクタ、１４はＣＤ−ＲＯＭデコーダ、１５はＣＤサーボプロセッサ、１６はシステムバス、１７はＣＰＵ、１８はリードオンリメモリ（ＲＯＭ）、１９はメインメモリ、２０は不揮発メモリ、２１はインタフェース部、２２はインタフェースバス、２３は電源ユニット、２４はＰＣ電源、２５はＡＣアダプタ、２６はＤＩＰＳＷである。
【０００４】
光ディスク１はスピンドルモータ３によって回転し、光ピックアップユニット４を搭載したキャリッジがフィードモータ２によって光ディスク１の半径方向に移動して、光ディスク１に対してデータの書き込みや読み取りがなされる。スピンドルモータ３はスピンドルモータドライバ７によって駆動され、フィードモータ２はフィードモータドライバ６によって駆動される。また、光ピックアップユニット４はアクチュエータドライバ８によって駆動される。
【０００５】
フィードモータドライバ６、スピンドルモータドライバ７、アクチュエータドライバ８は、ＣＤサーボプロセッサ１５によってサーボ制御される。光ピックアップユニット４にはレーザダイオードが内蔵されており、レーザダイオードはＬＤドライバ５によって駆動され、ＣＤエンコーダ１０から制御される。ＣＤ−ＲＯＭエンコーダ１１は、記録すべきデータを格納されているバッファメモリ１２から取得し、記録のためにエンコード処理を行い、その結果をＣＤエンコーダ１０に入力するものである。
【０００６】
再生系では、光ディスク１と光ピックアップユニット４から得られる光信号はリードアンプ９で信号処理され、ＣＤサーボプロセッサ１５へのフィードバック信号として使われると共に、ＡＴＩＰディテクタ１３の入力信号となり、その出力信号はＣＤエンコーダ１０へフィードバックされる。ＣＤ−ＲＯＭデコーダ１４はＣＤ信号を復調するためのものであり、ＣＤサーボプロセッサ１５の出力信号を使ってデータ復調を行い、その結果をバッファメモリ１２へ格納する。バッファメモリ１２は記録データ、および復調したデータを一時記憶するためのメモリである。これらのデータはインタフェース部２１を経由し、インタフェースバス２２を使った通信でホストコンピュータとやりとりされるものである。
【０００７】
ＣＰＵ１７は論理判断や演算を行う。１８はリードオンリメモリ（ＲＯＭ）で、制御プログラム、ならびに光ディスク記録装置のための記録制御プログラムを記憶したプログラ
ム記憶エリアを有している。１９はメインメモリであり、記録制御、再生制御に必要な記憶領域として使用される。
【０００８】
システムバス１６は、光ディスク装置内でのデータ転送用バスである。電源部分は、電源ユニット２３から、各制御チップに対して電圧を安定供給する。また、電源ユニット２３は、ＡＣアダプタ２５やＰＣ電源２４から、電源供給を受ける。ＰＣ電源２４は、パソコンにＵＳＢ接続されたインタフェース部２１から電源端子ＶＢＵＳの電圧に連動しドライブの電源ユニット２３に電圧を供給する仕組みを有し、ＵＳＢ電源のＯＮ／ＯＦＦに連動し自動的にドライブを起動及び終了させる。
【０００９】
この分野の先行例としては、（特許文献１）等がある。
【特許文献１】特開２００１−３４６３９８号公報
【発明の開示】
【発明が解決しようとする課題】
【００１０】
上述したようなＵＳＢ等を介してコンピュータなどの機器に接続される光ディスク装置は、当然ながら接続する機器から供給される限られた電流を使用して動作する場合が多い。しかしながら、電子機器の消費電流は一定とは限らず、例えば、ＵＳＢ等を介して接続される外付けタイプの光ディスク装置の場合、スピンドルモータの回転加速時や減速時において消費電流は変動し、データ読み取り時や書き込み時等の動作の違いによっても変動する。特にスピンドルモータの加速時には、最も多くの電流を必要とし、加速ゲインを小さく設定し消費電流を少なくすれば、目標回転数に達するまでの時間が多く必要となり、反対に加速ゲインを大きく設定し目標回転数に達するまでの時間を短くしようとすれば、多くの電流が必要となる。
【００１１】
本発明は、上記課題を解決するためになされたものであり、接続された機器から供給される限られた電流を有効に用いることが可能な光ディスク装置を提供することを目的とする。
【課題を解決するための手段】
【００１２】
本発明は、上記の課題を解決するためになされたものであって、回転駆動手段を備え、前記回転駆動手段は複数の回転加速度を利用して目標回転数に到達することを特徴とするものである。
【発明の効果】
【００１３】
本発明は上記構成により、回転駆動手段を備え、前記回転駆動手段は複数の回転加速度を利用して目標回転数に到達することを特徴とすることによって、前記回転駆動手段を有する光ディスク装置に供給される最大許容電流量を超えることなく、光ディスク装置の消費電流と回転駆動手段が目標回転数に到達するまでの時間の両立を図ることができる。
【００１４】
このことによって、接続された機器から供給される限られた電流を有効に用いることが可能な光ディスク装置を実現することができる。
【発明を実施するための最良の形態】
【００１５】
請求項１記載の発明は、回転駆動手段を備え、前記回転駆動手段は複数の回転加速度を利用して目標回転数に到達することを特徴とするものである。回転駆動手段が複数の回転加速度を利用して目標回転数に到達することによって、光ディスク装置の消費電流と回転駆動手段が目標回転数に到達するまでの時間の両立を図ることができるため、接続された機器から供給される限られた電流を有効に用いることが可能な光ディスク装置を実現することができる。
【００１６】
請求項２記載の発明は、他機器との接続に用いられる接続手段が、電力伝達機能と信号伝達機能を兼ね備えたことを特徴とするものである。従来不安定であった電力伝達機能と信号伝達機能を兼ね備えた接続手段からの電力供給であっても、回転駆動手段を有する光ディスク装置に供給される最大許容電流量を超えることなく、光ディスク装置の消費電流と回転駆動手段が目標回転数に到達するまでの時間の両立を図ることができるため、接続された機器から供給される限られた電流を有効に用いることが可能な光ディスク装置を実現することができる。
【００１７】
請求項３記載の発明は、前記複数の回転加速度が１次関数であることを特徴とするものである。複数の回転加速度が１次関数であることによって、回転駆動手段の制御を簡略化することが可能となる。
【００１８】
請求項４記載の発明は、前記複数の回転加速度のうち、最初の回転加速度が最も大きいことを特徴とするものである。複数の回転加速度のうち、最初の回転加速度が最も大きいことによって、目標回転数に到達するまでの時間短縮を効率良く行なうことが可能となる。
【００１９】
請求項５記載の発明は、前記複数の回転加速度のうち、最初の回転加速度から次の回転加速度へ切り替えるタイミングが、前記接続手段から供給される最大許容電流量を超える直前であることを特徴とするものである。複数の回転加速度のうち、最初の回転加速度から次の回転加速度へ切り替えるタイミングが、接続手段から供給される最大許容電流量を超える直前であることによって、回転駆動手段を有する光ディスク装置に供給される最大許容電流量を超えることなく、供給可能な電流量の範囲内で、効率良く回転駆動手段を制御することが可能となる。
【００２０】
請求項６記載の発明は、前記接続手段から供給される最大許容電流量を超える直前のタイミングが、前記最大許容電流量に対して、９０〜９９％の範囲であることを特徴とするものである。接続手段から供給される最大許容電流量を超える直前のタイミングは、前記最大許容電流量に対して、９０〜９９％の範囲であることによって、回転駆動手段を有する光ディスク装置に供給される最大許容電流量を超えることなく、また、スピンドルモータの加速トルクのばらつき等に起因する電流変動も吸収することが可能となる。
【００２１】
請求項７記載の発明は、前記接続手段がＵＳＢ（ユニバーサル・シリアル・バス）であり、前記接続手段により接続される機器がコンピュータであることを特徴とするものである。前記接続手段がＵＳＢ（ユニバーサル・シリアル・バス）であり、前記接続手段により接続される機器がコンピュータであることを特徴とするものである。接続手段がＵＳＢ（ユニバーサル・シリアル・バス）であり、接続手段により接続される機器がコンピュータであることによって、回転駆動手段を有する光ディスク装置をＵＳＢにてコンピュータに接続する場合、光ディスク装置はＵＳＢを電源とし、規格化された電流の供給を受けるため、汎用性を高くすることが可能となる。
【００２２】
請求項８記載の発明は、前記回転駆動手段がスピンドルモータであることを特徴とするものである。回転駆動手段がスピンドルモータであることによって、光ディスク装置の消費電流と回転駆動手段が目標回転数に到達するまでの時間の両立を効率良く、行なうことができる。
【００２３】
以下、本発明の一実施の形態について、図面を参照しながら説明する。
【００２４】
以下、発明を実施するための最良の形態について図を用いて説明する。以下の説明にお
いては、電力の供給を受けて動作する電子機器が光ディスク装置である場合について説明する。
【００２５】
（実施の形態１）
図１は本発明の一実施の形態における光ディスク装置の外観図である。図１において、１０１は光ディスク装置、１０２は上蓋、１０３はＵＳＢ接続用コネクタ、１０４はＵＳＢケーブル、１０５はコンピュータ、１０６はＡＣアダプタ、１０７はコンセント、１０８はＤＣジャックである。
【００２６】
光ディスク装置１０１は、コンピュータ１０５等の機器に内蔵しない所謂外付けタイプのもので、上蓋１０２を開けて光ディスクが装着される。１０３はＵＳＢ接続用コネクタであり、ＵＳＢケーブル１０４にて例えばコンピュータ１０５に接続することにより、コンピュータ１０５は光ディスクからデータを読み取り、あるいは光ディスクにデータを書き込むことができる。１０６はＡＣアダプタであり、商用電源（１００Ｖ等）のコンセント１０７からの電圧を降圧及び整流し、ＤＣジャック１０８から光ディスク装置１０１に電流を供給する。
【００２７】
光ディスク装置１０１の電流取得はＡＣアダプタ１０６に依る場合の他、ＵＳＢケーブル１０４の電源バスに依る場合がある。ＵＳＢケーブル１０４の電源バスで光ディスク装置１０１が必要とする電流を常に供給できるかは、主にコンピュータ１０５の電流供給能力や光ディスク装置１０１の消費電流に依存する。光ディスクにはＣＤ−ＲＯＭ、ＣＤ−Ｒ／ＲＷ、ＤＶＤ−ＲＯＭ、ＤＶＤ−ＲＡＭ、ＤＶＤ−Ｒ／ＲＷ、ＤＶＤ＋Ｒ／ＲＷが含まれ、光ディスク装置１０１はこれら光ディスクの１種類もしくは数種類に対応可能なものが含まれる。
【００２８】
なお、光ディスク装置１０１の内部で使用するのに適した電流電圧にする電源回路を備えているものであれば、ＡＣアダプタ１０６を使用せず、商用電源を直接適切な電線とコネクタで引き込む構成であっても良い。また、商用電源は使用せず光ディスク装置に内蔵もしくは外付けされた電池を駆動用電源とするものであってもよい。光ディスク装置を使用する際にいくつものケーブルを接続する手間を省き、使用者の使い勝手を考慮すれば、好ましくはＵＳＢケーブル１０４の電源バスのみの駆動である。
【００２９】
図２は本発明の一実施の形態における光ディスク装置の構成を示すブロック図である。図２において、１は光ディスク、２はフィードモータ、３はスピンドルモータ、４は光ピックアップユニット、５はＬＤドライバ、６はフィードモータドライバ、７はスピンドルモータドライバ、８はアクチュエータドライバ、９はリードアンプ、１０はＣＤエンコーダ、１１はＣＤ−ＲＯＭエンコーダ、１２はバッファメモリ、１３はＡＴＩＰディテクタ、１４はＣＤ−ＲＯＭデコーダ、１５はＣＤサーボプロセッサ、１６はシステムバス、１７はＣＰＵ、１８はリードオンリメモリ（ＲＯＭ）、１９はメインメモリ、２０は不揮発メモリ、２１はインタフェース部、２２はインタフェースバス、２３は電源ユニット、２４はＰＣ電源、２５はＡＣアダプタ、２６はＤＩＰＳＷである。
【００３０】
光ディスク１はスピンドルモータ３によって回転し、光ピックアップユニット４を搭載したキャリッジがフィードモータ２によって光ディスク１の半径方向に移動して、光ディスク１に対してデータの書き込みや読み取りがなされる。スピンドルモータ３はスピンドルモータドライバ７によって駆動され、フィードモータ２はフィードモータドライバ６によって駆動される。また、光ピックアップユニット４はアクチュエータドライバ８によって駆動される。
【００３１】
フィードモータドライバ６、スピンドルモータドライバ７、アクチュエータドライバ８
は、ＣＤサーボプロセッサ１５によってサーボ制御される。光ピックアップユニット４にはレーザダイオードが内蔵されており、レーザダイオードはＬＤドライバ５によって駆動され、ＣＤエンコーダ１０から制御される。ＣＤ−ＲＯＭエンコーダ１１は、記録すべきデータを格納されているバッファメモリ１２から取得し、記録のためにエンコード処理を行い、その結果をＣＤエンコーダ１０に入力するものである。
【００３２】
再生系では、光ディスク１と光ピックアップユニット４から得られる光信号はリードアンプ９で信号処理され、ＣＤサーボプロセッサ１５へのフィードバック信号として使われると共に、ＡＴＩＰディテクタ１３の入力信号となり、その出力信号はＣＤエンコーダ１０へフィードバックされる。ＣＤ−ＲＯＭデコーダ１４はＣＤ信号を復調するためのものであり、ＣＤサーボプロセッサ１５の出力信号を使ってデータ復調を行い、その結果をバッファメモリ１２へ格納する。バッファメモリ１２は記録データ、および復調したデータを一時記憶するためのメモリである。これらのデータはインタフェース部２１を経由し、インタフェースバス２２を使った通信でホストコンピュータとやりとりされるものである。
【００３３】
ＣＰＵ１７は論理判断や演算を行う。１８はリードオンリメモリ（ＲＯＭ）で、制御プログラム、ならびに光ディスク記録装置のための記録制御プログラムを記憶したプログラム記憶エリアを有している。１９はメインメモリであり、記録制御、再生制御に必要な記憶領域として使用される。
【００３４】
システムバス１６は、光ディスク装置内でのデータ転送用バスである。電源部分は、電源ユニット２３から、各制御チップに対して電圧を安定供給する。また、電源ユニット２３は、ＡＣアダプタ２５やＰＣ電源２４から、電源供給を受ける。ＰＣ電源２４は、パソコンにＵＳＢ接続されたインタフェース部２１から電源端子ＶＢＵＳの電圧に連動しドライブの電源ユニット２３に電圧を供給する仕組みを有し、ＵＳＢ電源のＯＮ／ＯＦＦに連動し自動的にドライブを起動及び終了させる。
【００３５】
次に、従来の実施の形態における光ディスク装置のスピンドルモータの制御について、図５、図６、図７を用いて説明する。
【００３６】
図６は、従来のスピンドルモータの加速制御を示すフローチャートである。また、図７は、従来のスピンドルモータの加速制御を示す図であり、横軸は時間、縦軸はスピンドルモータ回転数と消費電流を示した図である。
【００３７】
スピンドルモータ３を加速させる場合、スピンドルモータ３は、ＣＰＵ１７の加速指令に基づいて、ＣＤサーボプロセッサ１５により制御されるスピンドルモータドライバ７によって駆動され、加速を始める（Ｓ１１）。加速したスピンドルモータ３の回転数と消費電流量は、スピンドルモータドライバ７によって検知され、ＣＤサーボプロセッサ１５を経由してＣＰＵ１７へ伝わる。ＣＰＵ１７では、あらかじめ決められた目標回転数をＲＯＭ１８から読み出し、加速したスピンドルモータ３の回転数と比較する（Ｓ１２）。スピンドルモータ３の回転数があらかじめ決められた目標回転数に達していなければ、ＣＰＵ１７はスピンドルモータ３の加速継続指令を出し（Ｓ１３）、スピンドルモータ３の回転数があらかじめ決められた目標回転数に達していれば、ＣＰＵ１７は加速処理終了指令を出す（Ｓ１４）。
【００３８】
この場合、スピンドルモータ３の加速開始から加速終了までの加速度は、図７に示すように一定であり、また、消費電流の上昇も一定の上昇率となり、スピンドルモータ３の加速終了間際に接続手段の電流供給許容範囲を超えていた。
【００３９】
次に、本発明の実施の形態における光ディスク装置のスピンドルモータの制御について、図２、図３、図４を用いて説明する。
【００４０】
図３は、本発明の一実施の形態におけるスピンドルモータの加速制御を示すフローチャートである。また、図４は、本発明の一実施の形態におけるスピンドルモータの加速制御を示す図であり、横軸は時間、縦軸はスピンドルモータ回転数と消費電流を示した図である。
【００４１】
スピンドルモータ３を加速させる場合、スピンドルモータ３は、ＣＰＵ１７の加速指令に基づいて、ＣＤサーボプロセッサ１５により制御されるスピンドルモータドライバ７によって駆動され、加速を始める（Ｓ１）。加速の初期段階では、ＣＰＵ１７がＲＯＭ１８から読み出された情報をもとに初期加速を接続手段の電流供給許容範囲内で最大の加速電流に設定し、ＣＤサーボプロセッサ１５、スピンドルモータドライバ７を経由してスピンドルモータ３の強い加速を行なう（Ｓ２）。加速したスピンドルモータ３の回転数と消費電流量は、スピンドルモータドライバ７によって検知され、ＣＤサーボプロセッサ１５を経由してＣＰＵ１７へ伝わる。ＣＰＵ１７では、あらかじめ決められた消費電流量をＲＯＭ１８から読み出し、加速したスピンドルモータ３の消費電流量と比較する（Ｓ３）。スピンドルモータ３の回転数があらかじめ決められた消費電流量に達していなければ、ＣＰＵ１７はスピンドルモータ３の加速継続指令を出し（Ｓ４）、スピンドルモータ３の回転数があらかじめ決められた消費電流量に達していれば、ＣＰＵ１７はＲＯＭ１８から読み出された加速電流を小さく設定し、ＣＤサーボプロセッサ１５、スピンドルモータドライバ７を経由してスピンドルモータ３の弱い加速を行なう（Ｓ５）。ここで、小さい加速電流とは、図４に示すように、最初の加速が終了した時点の消費電流量と加速終了時間と、最終加速が終了する予定の時点での消費電流量と最終加速終了時間の関係から算出された電流である。次に、加速したスピンドルモータ３の回転数は、スピンドルモータドライバ７によって検知され、ＣＤサーボプロセッサ１５を経由してＣＰＵ１７へ伝わる。ＣＰＵ１７では、あらかじめ決められた目標回転数をＲＯＭ１８から読み出し、加速したスピンドルモータ３の回転数と比較する（Ｓ６）。スピンドルモータ３の回転数があらかじめ決められた目標回転数に達していなければ、ＣＰＵ１７はスピンドルモータ３の加速継続指令を出し（Ｓ７）、スピンドルモータ３の回転数があらかじめ決められた目標回転数に達していれば、ＣＰＵ１７は加速処理終了指令を出す（Ｓ８）。
【００４２】
この場合、スピンドルモータ３の加速開始から加速終了までの加速度は、図４に示すように２つの加速度で構成され、また、消費電流も２つの上昇率となり、スピンドルモータ３の加速終了間際に接続手段の電流供給許容範囲を超えることは無い。
【００４３】
次に、従来の実施の形態における光ディスク装置のスピンドルモータの制御と本発明の実施の形態における光ディスク装置のスピンドルモータの制御について、比較を行ないながら本発明部分の説明を行なう。
【００４４】
初期加速時は回転停止状態にあり、加速開始時となる電流値は低い状態にある。このため、従来と比較して大きい電流をスピンドルモータ３に加えても消費電流が閾値である接続手段の電流供給許容範囲内を超えることは無い。そのため、初期加速は、従来と比較して大きい電流を加えることにした。大きい電流を加えることにより、従来と比較してより早い時間でスピンドルの回転数を上げることができるようになる。閾値となる消費電流値まではこの状態を保つことによって、従来の加速処理に比べ、時間的な裕度を得ることができる。また、従来と比較してより大きい電流を加えるため、消費電流も従来と比較してより早く高いレベルに到達する。次に、スピンドルモータ３に供給する電流を大幅に落とした省電力動作に切り替える。消費電流としては、目標回転数に到達した場合でも、閾値の消費電流を越えることが無いレベルに設定しておく。このため、この場合、スピンドル
モータ３の回転数の上がり方が鈍くなるが、初期加速で貯蓄した余裕時間と相殺するレベル以下にロス時間を最小限に抑えることが可能となる。
【００４５】
このように本発明は、回転駆動手段が複数の回転加速度を利用して目標回転数に到達するものであり、本実施の形態では、複数の回転加速度を２つとし、複数の回転加速度は全て１次関数とし、最初の回転加速度が最も大きいものとした。こうすることにより、回転駆動手段を有する光ディスク装置に供給される最大許容電流量を超えることなく、光ディスク装置の消費電流と回転駆動手段が目標回転数に到達するまでの時間の両立を図ることができ、回転駆動手段の制御を簡略化することができ、目標回転数に到達するまでの時間短縮を効率良く行なうことが可能となる。
【００４６】
また、本実施の形態では、複数の回転加速度のうち、最初の回転加速度から次の回転加速度へ切り替えるタイミングを接続手段から供給される最大許容電流量とし、その直前のタイミングが最大許容電流量に対して、９０〜９９％の範囲であるものとした。こうすることにより、回転駆動手段を有する光ディスク装置に供給される最大許容電流量を超えることなく、供給可能な電流量の範囲内で、効率良く回転駆動手段を制御することができ、回転駆動手段を有する光ディスク装置に供給される最大許容電流量を超えることなく、また、スピンドルモータ３の加速トルクのばらつき等に起因する電流変動も吸収することが可能となる。
【００４７】
さらに、本実施の形態では、接続手段をＵＳＢやＵＳＢに代表される電力伝達機能と信号伝達機能を兼ね備えたものとし、接続手段により接続される機器をコンピュータとし、回転駆動手段をスピンドルモータ３とした。こうすることにより、回転駆動手段を有する光ディスク装置をＵＳＢにてコンピュータに接続する場合、光ディスク装置はＵＳＢを電源とし、規格化された電流の供給を受けるため、汎用性が高くなり、光ディスク装置の消費電流と回転駆動手段が目標回転数に到達するまでの時間の両立を効率良く、行なうことができる。また、従来不安定であった電力伝達機能と信号伝達機能を兼ね備えた接続手段からの電力供給であっても、回転駆動手段を有する光ディスク装置に供給される最大許容電流量を超えることなく、光ディスク装置の消費電流と回転駆動手段が目標回転数に到達するまでの時間の両立を図ることができる。
【００４８】
そのため、接続された機器から供給される限られた電流を有効に用いることが可能な光ディスク装置を提供することができる。
【００４９】
（表１）は光ディスク装置における消費電流と初期化時間を示した表であり、従来の処理と本発明の処理を比較したものである。本発明では、従来の処理における消費電流の２／３の量で光ディスク装置におけるスピンドルモータ３の加速時間の一例である初期化時間をほぼ同等にすることが可能であることがわかる。
【００５０】
【表１】
2006085855.tif 000003
【００５１】
なお、本実施の形態では、複数の回転加速度を２つとし、複数の回転加速度は全て１次関数とし、最初の回転加速度が最も大きいものとしたが、複数の回転加速度は２つであることや複数の回転加速度は全て１次関数であることや最初の回転加速度が最も大きいものであることに限定されるものでは無く、例えば複数の回転加速度は３つ以上でも良い。回転駆動手段の制御を簡略化することができ、目標回転数に到達するまでの時間短縮を効率良く行なおうと思えば、複数の回転加速度を２つとし、複数の回転加速度は全て１次関数とし、最初の回転加速度が最も大きいものとすることが好ましい。
【００５２】
また、本実施の形態では、複数の回転加速度のうち、最初の回転加速度から次の回転加速度へ切り替えるタイミングを接続手段から供給される最大許容電流量を超える直前とし、その直前のタイミングが最大許容電流量に対して、９０〜９９％の範囲であるものとしたが、最初の回転加速度から次の回転加速度へ切り替えるタイミングを接続手段から供給される最大許容電流量を超える直前とすることやその直前のタイミングが最大許容電流量に対して、９０〜９９％の範囲であることに限定されるものでは無い。供給可能な電流量の範囲内で、効率良く回転駆動手段を制御することができ、回転駆動手段を有する光ディスク装置に供給される最大許容電流量を超えることなく、また、スピンドルモータの加速トルクのばらつき等に起因する電流変動も吸収しようと思えば、複数の回転加速度のうち、最初の回転加速度から次の回転加速度へ切り替えるタイミングを接続手段から供給される最大許容電流量を超える直前とし、その直前のタイミングが最大許容電流量に対して、９０〜９９％の範囲であることが好ましい。
【００５３】
さらに、本実施の形態では、接続手段をＵＳＢやＵＳＢに代表される電力伝達機能と信号伝達機能を兼ね備えたものとし、接続手段により接続される機器をコンピュータ、回転駆動手段をスピンドルモータ３としたが、接続手段はＵＳＢやＵＳＢに代表される電力伝達機能と信号伝達機能を兼ね備えたものに限定されるものではない。また、接続手段により接続される機器はコンピュータに限定されるものでは無い。さらにまた、回転駆動手段はスピンドルモータ３に限定されるものでは無いが、光ディスク装置の消費電流と回転駆動手段が目標回転数に到達するまでの時間の両立を効率良く行なおうとすれば、回転駆動手段をスピンドルモータ３とすることが好ましい。
【産業上の利用可能性】
【００５４】
本発明は、接続された機器から供給される限られた電流を有効に用いることが可能な光ディスク装置を実現することができ、光ピックアップにより光ディスクに対して情報の記録又は再生の少なくとも一方を行なう光ディスク装置などに適応可能である。
【図面の簡単な説明】
【００５５】
【図１】本発明の一実施の形態における光ディスク装置の外観図
【図２】本発明の一実施の形態における光ディスク装置の構成を示すブロック図
【図３】本発明の一実施の形態におけるスピンドルモータの加速制御を示すフローチャート
【図４】本発明の一実施の形態におけるスピンドルモータの加速制御を示す図
【図５】従来の光ディスク装置の構成を示すブロック図
【図６】従来のスピンドルモータの加速制御を示すフローチャート
【図７】従来のスピンドルモータの加速制御を示す図
【符号の説明】
【００５６】
１    光ディスク
２    フィードモータ
３    スピンドルモータ
４    光ピックアップユニット
５    ＬＤドライバ
６    フィードモータドライバ
７    スピンドルモータドライバ
８    アクチュエータドライバ
９    リードアンプ
１０    ＣＤエンコーダ
１１    ＣＤ−ＲＯＭエンコーダ
１２    バッファメモリ
１３    ＡＴＩＰディテクタ
１４    ＣＤ−ＲＯＭデコーダ
１５    ＣＤサーボプロセッサ
１６    システムバス
１７    ＣＰＵ
１８    リードオンリメモリ（ＲＯＭ）
１９    メインメモリ
２０    不揮発メモリ
２１    インタフェース部
２２    インタフェースバス
２３    電源ユニット
２４    ＰＣ電源
２５    ＡＣアダプタ
２６    ＤＩＰＳＷ
１０１    光ディスク装置
１０２    上蓋
１０３    ＵＳＢ接続用コネクタ
１０４    ＵＳＢケーブル
１０５    コンピュータ
１０６    ＡＣアダプタ
１０７    コンセント
１０８    ＤＣジャック
【図１】
2006085855.tif 000004
【図２】
2006085855.tif 000005
【図３】
2006085855.tif 000006
【図４】
2006085855.tif 000007
【図５】
2006085855.tif 000008
【図６】
2006085855.tif 000009
【図７】
2006085855.tif 000010